(57)【要約】【課題】従来と同様に断線時にも異なった通知内容とならないようにし、鉄道用信号機の回路構成を単純にし、かつ、断線した信号灯を特定することができること【解決手段】鉄道用信号機２００の点灯制御を行なう信号制御装置１００において、断線検知部１２０ａ〜１２０ｄは、鉄道用信号機２００の点灯制御を行なう際に、点灯対象の各信号灯２１０ａ〜２１０ｄおよび各信号灯２１０ａ〜２１０ｄまでの電力線のどちらかが断線していることを検知する。点灯制御部１１０は、各信号灯２１０ａ〜２１０ｄに個別に電力を供給し、点灯制御時に、点灯対象としている信号灯もしくは該信号灯までの電力線の断線を断線検知部１２０ａ〜１２０ｄが検知したときは、全ての信号灯を滅灯させる。【選択図】図１
2008302834.tif 000002
【特許請求の範囲】
【請求項１】
鉄道用信号機の点灯制御を行なう信号制御装置において、
前記鉄道用信号機の点灯制御を行なう際に、点灯対象の各信号灯および各信号灯までの電力線のどちらかが断線していることを検知する断線検知部と、
各信号灯に個別に電力を供給し、前記点灯制御時に、点灯対象としている信号灯もしくは該信号灯までの電力線の断線を前記断線検知部が検知したときは、全ての信号灯を滅灯させる点灯制御部と
を具備することを特徴とする信号制御装置。
【請求項２】
断線を検知した信号灯を記憶する記憶部を具備し、
前記点灯制御部は、前記点灯制御時に、前記断線検知部が断線を検知したときは、全ての信号灯を滅灯させるとともに、断線を検知した信号灯を前記記憶部に記憶させ、前記点灯制御時に、前記記憶部が記憶している信号灯が点灯対象に含まれているときは、該信号灯から点灯させ、該信号灯の断線を検知しなかったときは、残りの信号灯を点灯させること
を特徴とする請求項１に記載の信号制御装置。
【請求項３】
鉄道用信号機の各信号灯に個別に電力を供給し、該鉄道用信号機の点灯制御を行なう信号制御装置における点灯制御方法であって、
前記信号制御装置が、前記鉄道用信号機の点灯制御を行なう際に、点灯対象の各信号灯および各信号灯までの電力線のどちらかが断線していることを検知する第１の過程と、
前記信号制御装置が、点灯制御時に、点灯対象としている信号灯もしくは該信号灯までの電力線の断線を前記断線検知部が検知したときは、全ての信号灯を滅灯させる第２の過程と
を具備することを特徴とする点灯制御方法。
【請求項４】
鉄道用信号機の各信号灯に個別に電力を供給し、該鉄道用信号機の点灯制御を行なう信号制御装置が具備するコンピュータを、
前記鉄道用信号機の点灯制御を行なう際に、点灯対象の各信号灯および各信号灯までの電力線のどちらかが断線していることを検知する断線検知部、
前記点灯制御時に、点灯対象としている信号灯もしくは該信号灯までの電力線の断線を前記断線検知部が検知したときは、全ての信号灯を滅灯させる点灯制御部
として動作させるプログラム。
【発明の詳細な説明】
【技術分野】
【０００１】
本発明は、信号制御装置、点灯制御方法およびプログラム、特に同時に複数の信号灯を点灯することがある鉄道用信号機の点灯制御をする信号制御装置、点灯制御方法およびプログラムに関する。
【背景技術】
【０００２】
従来の鉄道信号機用の信号制御装置は、複数の信号灯を点灯させる際は、これらの信号灯が直列に接続され、これらの信号灯のなかに、一つでも断線しているものがあるときは、残りの信号灯が点灯しないようにしている。これは、鉄道用信号機では、２つの信号灯を点灯させたときの通知内容と、そのうちの１つを点灯させたときの通知内容とで、別々の意味を持つことがあるため、２つの信号灯を点灯すべきときに、断線により１つのみ点灯することを避けるためである。また、複数の信号灯の点灯と単数の信号灯の点灯とで、信号灯の明るさが変わらないように、信号制御装置は、同時に点灯する信号灯の数に応じた電圧で鉄道信号機に電力を供給するために複数の制御電圧を切り換える電圧切換回路を備え、鉄道信号機は、各信号灯に加わる電圧が等しくなるように、電圧平衡器を備えている。
【０００３】
例えば、図４に示す信号制御装置３００と鉄道用信号機４００との場合、「警戒」信号のときは、信号灯Ｙ１および信号灯Ｙ２とを点灯させ、「注意」信号のときは、信号灯Ｙ１のみを点灯させる。図４において、電力線ＣＸ３０と電力線ＢＸ３０の間には、交流３０Ｖの電圧が加えられ、電力線ＮＸ６０と電力線ＢＸ３０の間には、交流６０Ｖの電圧が加えられている。「警戒」信号のときは、接点ＨｙＲ（ＯＮ）、接点ＨＲ（ＯＦＦ）、接点ＤＲ（ＯＦＦ）が通電するように制御されて、電圧切換回路３１０と電圧平衡器４１０とにより、直列に接続された信号灯Ｙ１と信号灯Ｙ２とにそれぞれ交流３０Ｖで合計６０Ｖの電圧が加えられる。一方、「注意」信号のときは、接点ＨｙＲ（ＯＮ）、接点ＨＲ（ＯＮ）、接点ＤＲ（ＯＦＦ）が通電するように制御されて、電圧切換回路３１０により、信号灯Ｙ１に交流３０Ｖの電圧が加えられる。なお、接点に付した（ＯＮ）と（ＯＦＦ）とは、（ＯＮ）は、常時開路接点（平常時は開放状態にあり、動作時に閉成状態にある接点）であることを表し、（ＯＦＦ）は、常時閉路接点（平常時は閉成状態にあり、動作時に開放状態にある接点）であることを表している。
【０００４】
また、鉄道用信号機には、信号灯にフィラメント式の電球に代えて、ＬＥＤ（Light Emitting Diode）を使用しているものもある（例えば、特許文献１参照）。
【特許文献１】特開２００２−１７３０２８号公報
【発明の開示】
【発明が解決しようとする課題】
【０００５】
しかしながら、従来の鉄道用信号機と信号制御装置にあっては、断線時にも異なった通知内容とならないように、上述のように複数の制御電圧の供給と、それを切り換える電圧切換回路と、それを等分するための電圧平衡器とを備えなければならず、回路が複雑になってしまうという問題がある。
また、複数の信号灯を点灯する際に断線を検出しても、これらの信号灯のうち、いずれの信号灯が断線しているのか判別できないという問題がある。
【０００６】
本発明は、このような事情に鑑みてなされたもので、その目的は、従来と同様に断線時にも異なった通知内容とならないようにし、鉄道用信号機の回路構成を単純にし、かつ、断線した信号灯を特定することができる信号制御装置を提供することにある。
【課題を解決するための手段】
【０００７】
この発明は上述した課題を解決するためになされたもので、本発明の信号制御装置は、鉄道用信号機の点灯制御を行なう信号制御装置において、前記鉄道用信号機の点灯制御を行なう際に、点灯対象の各信号灯および各信号灯までの電力線のどちらかが断線していることを検知する断線検知部と、各信号灯に個別に電力を供給し、前記点灯制御時に、点灯対象としている信号灯もしくは該信号灯までの電力線の断線を前記断線検知部が検知したときは、全ての信号灯を滅灯させる点灯制御部とを具備することを特徴とする。
【０００８】
また、本発明の信号制御装置は、上述の信号制御装置であって、断線を検知した信号灯を記憶する記憶部を具備し、前記点灯制御部は、前記点灯制御時に、前記断線検知部が断線を検知したときは、全ての信号灯を滅灯させるとともに、断線を検知した信号灯を前記記憶部に記憶させ、前記点灯制御時に、前記記憶部が記憶している信号灯が点灯対象に含まれているときは、該信号灯から点灯させ、該信号灯の断線を検知しなかったときは、残りの信号灯を点灯させることを特徴とする。
【０００９】
また、本発明の信号制御方法は、鉄道用信号機の各信号灯に個別に電力を供給し、該鉄道用信号機の点灯制御を行なう信号制御装置における点灯制御方法であって、前記信号制御装置が、前記鉄道用信号機の点灯制御を行なう際に、点灯対象の各信号灯および各信号灯までの電力線のどちらかが断線していることを検知する第１の過程と、前記信号制御装置が、点灯制御時に、点灯対象としている信号灯もしくは該信号灯までの電力線の断線を前記断線検知部が検知したときは、全ての信号灯を滅灯させる第２の過程とを具備することを特徴とする。
【００１０】
また、本発明のプログラムは、鉄道用信号機の各信号灯に個別に電力を供給し、該鉄道用信号機の点灯制御を行なう信号制御装置が具備するコンピュータを、前記鉄道用信号機の点灯制御を行なう際に、点灯対象の各信号灯および各信号灯までの電力線のどちらかが断線していることを検知する断線検知部、前記点灯制御時に、点灯対象としている信号灯もしくは該信号灯までの電力線の断線を前記断線検知部が検知したときは、全ての信号灯を滅灯させる点灯制御部として動作させる。
【発明の効果】
【００１１】
この発明によれば、各信号灯に個別に電力を供給する単純な回路構成にするとともに、各信号灯および各信号灯までの電力線のどちらかが断線していることを検知し、点灯対象としている信号灯もしくはその電力線の断線を検知したときは、全ての信号灯を滅灯させるので、断線時にも異なった通知内容とならないようにし、かつ、断線した信号灯を特定することができる。
【発明を実施するための最良の形態】
【００１２】
以下、図面を参照して、本発明の実施の形態について説明する。図１は、この発明の一実施形態による信号制御装置１００と鉄道用信号機２００の構成を示す概略ブロック図である。信号制御装置１００は、「進行」、「警戒」、「停止」などの制御指示を受けて、制御指示に応じた信号灯に電力を供給する点灯制御部１１０、点灯制御時に各信号灯と信号灯までの電力線の断線を検知する断線検知部１２０ａ~１２０ｄ、断線を検知した信号灯を表す情報を記憶する断線信号灯記憶部１３０を具備する。鉄道用信号機２００は、黄色に発光するＹ２信号灯２１０ａ、赤色に発光するＲ信号灯２１０ｂ、緑色に発光するＧ信号灯２１０ｃ、黄色に発光するＹ１信号灯２１０ｄを具備する。鉄道用信号機２００の各信号灯は、個別に信号制御装置１００と電力線にて接続されている。
【００１３】
点灯制御部１１０は、「進行」、「注意」、「警戒」、「停止」のうちのいずれかの制御指示を受けて、制御指示に応じて、各信号灯に個別に電力を供給して信号灯を発光させる。点灯制御部１１０は、制御指示が「進行」のときはＧ信号灯２１０ｃを点灯させ、制御指示が「注意」のときはＹ１信号灯２１０ｄを点灯させ、制御指示が「警戒」のときはＹ１信号灯２１０ｄとＹ２信号灯２１０ａとを点灯させ、制御指示が「停止」のときはＲ信号灯２１０ｂを点灯させる。このとき、点灯制御部１１０は、以下の（１）から（３）のルールに従い、点灯制御を行なう。
（１）点灯対象としている信号灯もしくは信号灯までの電力線の断線を断線検知部１２０ａ~１２０ｄが検知したときは、全ての信号灯を滅灯させる。
（２）信号灯もしくは信号灯までの電力線の切断を断線検知部１２０ａ~１２０ｄが検知したときは、該当する信号灯を表す情報を断線信号灯記憶部１３０に記憶させる。
（３）点灯制御する際は、断線信号灯記憶部１３０に記憶されている信号灯から点灯制御する。この点灯制御時に断線を検知したときは、上記（１）（２）に従い、断線を検知しなかったときは、断線信号灯記憶部１３０から当該信号灯を表す情報を削除する。
【００１４】
断線検知部１２０ａは、点灯制御部１１０と各信号灯２１０ａ~２１０ｄの間に挿入されており、点灯制御部１１０が点灯制御を行なう際に、信号灯へ電力を供給する電力線を流れる電流を計測し、信号灯および信号灯までの電力線のどちらかが断線していることを検知する。
断線信号灯記憶部１３０は、断線が検知された信号灯を表す情報を記憶している。
なお、断線信号灯記憶部１３０は、ハードディスク装置や光磁気ディスク装置、フラッシュメモリ等の不揮発性のメモリや、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００１５】
次にこの信号制御装置１００の動作を説明する。
図２は、信号制御装置１００の動作を説明するフローチャートである。まず、Ｙ１信号灯２１０ｄが断線している状態で、「警戒」の制御指示を受けた場合の動作を説明する。点灯制御部１１０は、制御指示「警戒」を受けると（Ｓ１）、点灯制御部１１０は、「警戒」を示すＹ１信号灯２１０ｄとＹ２信号灯２１０ａとを点灯対象として選択する（Ｓ２）。点灯制御部１１０は、断線信号灯記憶部１３０の記憶内容と、ステップＳ２にて選択したＹ１信号灯２１０ｄおよびＹ２信号灯２１０ａとで、一致するものがあるか判定する（Ｓ３）。ここでは、断線信号灯記憶部１３０は何も記憶していないので、点灯制御部１１０は、一致するものはないと判定し、ステップＳ４に遷移する。点灯制御部１１０は、断線信号灯記憶部１３０の記憶内容と一致しなかったＹ２信号灯２１０ａとＹ１信号灯２１０ｄとを点灯制御する（Ｓ４）。Ｙ２信号灯２１０ａとＹ１信号灯２１０ｄとが点灯制御されたので、それぞれ対応する断線検知部１２０ａ、１２０ｄが、断線検知を行なう（Ｓ５）。
【００１６】
ここでは、上述のようにＹ１信号灯２１０ｄが断線しているとしたので、断線検知部１２０ｄが断線を検知し（Ｓ５Ｙｅｓ）、これを受けた点灯制御部１１０は、ステップＳ４にて点灯制御された全ての信号灯（ここでは、Ｙ１信号灯２１０ｄ、Ｙ２信号灯２１０ａ）を滅灯制御する（Ｓ６）。次に、点灯制御部１１０は、断線信号灯記憶部１３０に断線を検知したＹ１信号灯２１０ｄを表す情報を記憶し（Ｓ７）、ステップＳ１に戻る。
このように、各信号灯に個別に電力を供給する単純な回路構成にしつつ、点灯制御部１１０は、点灯制御時に断線を検知したときは、全ての信号灯を滅灯させるので、電圧切換回路や電圧平衡器を要しない単純な回路にて、残りの信号灯のみ点灯してしまい異なる内容を通知することが無いようにすることができる。また、断線検知部１２０ａ~１２０ｄが、信号灯毎に断線検知を行なっているので、断線した信号灯を特定することができる。
【００１７】
次に、Ｙ１信号灯２１０ｄが断線したままの状態で、再度、「警戒」の制御指示を受けた場合の動作を説明する。点灯制御部１１０は、制御指示「警戒」を受けると（Ｓ１）、点灯制御部１１０は、「警戒」を示すＹ１信号灯２１０ｄとＹ２信号灯２１０ａとを点灯対象として選択する（Ｓ２）。点灯制御部１１０は、断線信号灯記憶部１３０の記憶内容と、ステップＳ２にて選択したＹ１信号灯２１０ｄおよびＹ２信号灯２１０ａとで、一致するものがあるか判定する（Ｓ３）。ここでは、断線信号灯記憶部１３０は、Ｙ１信号灯２１０ｄを表す情報を記憶しているので、点灯制御部１１０は、ステップＳ３にて一致するものがあると判定し、ステップＳ８に遷移する。点灯制御部１１０は、ステップＳ３にて一致したＹ１信号灯２１０ｄを点灯制御する（Ｓ８）。Ｙ１信号灯２１０ｄが点灯制御されたので、対応する断線検知部１２０ｄが、断線検知を行なう（Ｓ９）。
【００１８】
ここでは、上述のようにＹ１信号灯２１０ｄが断線しているとしたので、断線検知部１２０ｄが断線を検知し（Ｓ９Ｙｅｓ）、これを受けた点灯制御部１１０は、ステップＳ８にて点灯制御された全ての信号灯（ここでは、Ｙ１信号灯２１０ｄ）を滅灯制御し（Ｓ１１）、ステップＳ１に戻る。
このように、各信号灯に個別に電力を供給する単純な回路構成にしつつ、点灯制御部１１０は、断線信号灯記憶部１３０が記憶している断線していた信号灯から先に点灯制御を行なうので、その他の断線していない信号灯のみを点灯させてしまい、異なる内容を通知することが無いようにできる。
【００１９】
次に、Ｙ１信号灯２１０ｄを交換して、断線から復旧した状態で、再度、「警戒」の制御指示を受けた場合の動作を説明する。点灯制御部１１０は、制御指示「警戒」を受けると（Ｓ１）、点灯制御部１１０は、「警戒」を示すＹ１信号灯２１０ｄとＹ２信号灯２１０ａとを点灯対象として選択する（Ｓ２）。点灯制御部１１０は、断線信号灯記憶部１３０の記憶内容と、ステップＳ２にて選択したＹ１信号灯２１０ｄおよびＹ２信号灯２１０ａとで、一致するものがあるか判定する（Ｓ３）。ここでは、断線信号灯記憶部１３０は、Ｙ１信号灯２１０ｄを表す情報を記憶しているので、点灯制御部１１０は、ステップＳ３にて一致するものがあると判定し、ステップＳ８に遷移する。点灯制御部１１０は、ステップＳ３にて一致したＹ１信号灯２１０ｄを点灯制御する（Ｓ８）。Ｙ１信号灯２１０ｄが点灯制御されたので、対応する断線検知部１２０ｄが、断線検知を行なう。
【００２０】
ここでは、Ｙ１信号灯２１０ｄが断線から復旧しているとしたので、断線検知部１２０ｄは断線を検知せず、これを受けた点灯制御部１１０は、断線を検知しなかったのでステップＳ１０に遷移する（Ｓ９Ｎｏ）。点灯制御部１１０は、断線信号灯記憶部１３０からステップＳ８にて点灯制御したＹ１信号灯２１０ｄを表す情報を削除する（Ｓ１０）。次に、点灯制御部１１０は、点灯対象の信号灯のうち、ステップＳ３にて断線信号灯記憶部１３０の記憶内容と一致しなかったＹ２信号灯２１０ａを点灯制御する（Ｓ４）。ここでは、Ｙ２信号灯２１０ａは断線していないとしたので、断線検知部１２０ａは断線を検知せず、これを受けた点灯制御部１１０は、断線を検知しなかったのでステップＳ１に戻る（Ｓ９Ｎｏ）。
【００２１】
なお、点灯制御部１１０は、制御指示を受けて点灯制御を行なったときに、断線検知部１２０ａ~１２０ｄが断線を検知したときは、断線を検知した信号灯を表す情報を、制御指示の送信元に送ってもよい。あるいは、点灯制御部１１０は、外部装置からの要求を受信して、断線信号灯記憶部１３０の記憶内容を応答するようにしてもよい。これにより、外部装置から断線している信号灯を確認することができるようになる。
また、本実施形態において、信号制御装置１００が点灯制御する鉄道用信号機として、４灯式の信号機を例に挙げて説明したが、図３（ａ）に示すような、上から黄色に発光するＹ２信号灯２１１ａ、赤色に発光するＲ信号灯２１１ｂ、黄色に発光するＹ１信号灯２１１ｃ、緑色に発光するＧ信号灯２１１ｄを具備する鉄道用信号機２０１であってもよい。この鉄道用信号機２０１は、Ｙ２信号灯２１１ａとＧ信号灯２１１ｄとが同時に点灯することがある。
【００２２】
その他にも、図３（ｂ）に示すような、上から黄色に発光するＹ３信号灯２１２ａ、黄色に発光するＹ２信号灯２１２ｂ、赤色に発光するＲ信号灯２１２ｃ、黄色に発光するＹ１信号灯２１２ｄ、緑色に発光するＧ信号灯２１２ｅを具備する５灯式の鉄道用信号機２０２であってもよい。この鉄道用信号機２０２は、Ｙ２信号灯２１２ｂとＧ信号灯２１２ｅとが同時に点灯することがある。また、図３（ｃ）に示すような、左に白色に発光するＷ１信号灯２１３ａ、右上に白色に発光するＷ２信号灯２１３ｂ、右に白色に発光するＷ３信号灯２１３ｃ、下に紫色に発光するＺ信号灯２１３ｄを具備する入換信号機である鉄道用信号機２０３であってもよい。この鉄道用信号機２０３は、Ｗ１信号灯２１３ａとＷ３信号灯２１３ｃとＺ信号灯２１３ｄとが同時に点灯することがある。その他にも、Ｗ１信号灯２１３ａとＷ２信号灯２１３ｂとＺ信号灯２１３ｄとが同時に点灯、Ｗ１信号灯２１３ａとＷ３信号灯２１３ｃとが同時に点灯、Ｗ１信号灯２１３ａとＷ２信号灯２１３ｂとが同時に点灯することがある。
【００２３】
また、図３（ｄ）に示すような、上に白色に発光するＷ１信号灯２１４ａ、真ん中に白色に発光するＷ２信号灯２１４ｂ、下に白色に発光するＷ３信号灯２１４ｃ、左に白色に発光するＷ４信号灯２１４ｄ、右に白色に発光するＷ５信号灯２１４ｅ、左下に白色に発光するＷ６信号灯２１４ｆ、右上に白色に発光するＷ７信号灯２１４ｇを具備する中継信号機である鉄道用信号機２０４であってもよい。この鉄道用信号機２０４は、Ｗ１信号灯２１４ａとＷ２信号灯２１４ｂとＷ３信号灯２１４ｃとが同時に点灯することがある。その他にも、Ｗ４信号灯２１４ｄとＷ２信号灯２１４ｂとＷ５信号灯２１４ｅとが同時に点灯、Ｗ６信号灯２１４ｆとＷ２信号灯２１４ｂとＷ７信号灯２１４ｇとが同時に点灯することがある。
なお、これらの信号機の点灯制御を行なう信号制御装置１００は、点灯制御の対象となる信号機の信号灯の数に合わせた断線検知部を具備する。
【００２４】
また、図１における点灯制御部１１０、断線検知部１２０の機能を実現するためのプログラムをコンピュータ読み取り可能な記録媒体に記録して、この記録媒体に記録されたプログラムをコンピュータシステムに読み込ませ、実行することにより鉄道用信号機２００の制御を行ってもよい。なお、ここでいう「コンピュータシステム」とは、ＯＳや周辺機器等のハードウェアを含むものとする。
【００２５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２６】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００２７】
本発明は、複数の信号灯を点灯させることがある鉄道用信号機を制御する信号制御装置に用いて好適であるが、これに限定されない。
【図面の簡単な説明】
【００２８】
【図１】この発明の一実施形態による信号制御装置１００および鉄道用信号機２００の構成を示すブロック図である。
【図２】同実施形態における信号制御装置１００の動作を説明するフローチャートである。
【図３】信号制御装置１００にて制御可能な鉄道用信号機の例を示した図である。
【図４】従来の鉄道用信号機の構成を示す回路図である。
【符号の説明】
【００２９】
１００…信号制御装置
１１０…点灯制御部
１２０ａ~１２０ｄ…断線検知部
１３０…断線信号灯記憶部
２００、２０１、２０２、２０３、２０４…鉄道用信号機
２１０ａ、２１１ａ、２１２ｂ…Ｙ２信号灯
２１０ｂ、２１１ｂ、２１２ｃ…Ｒ信号灯
２１０ｃ、２１１ｄ、２１２ｅ…Ｇ信号灯
２１０ｄ、２１１ｃ、２１２ｄ…Ｙ１信号灯
２１３ａ、２１４ａ…Ｗ１信号灯
２１３ｂ、２１４ｂ…Ｗ２信号灯
２１３ｃ、２１４ｃ…Ｗ３信号灯
２１３ｄ…Ｚ信号灯
２１４ｄ…Ｗ４信号灯
２１４ｅ…Ｗ５信号灯
２１４ｆ…Ｗ６信号灯
２１４ｇ…Ｗ７信号灯
【図１】
2008302834.tif 000003
【図２】
2008302834.tif 000004
【図３】
2008302834.tif 000005
【図４】
2008302834.tif 000006